【手続補正書】
【提出日】平成15年12月24日(2003.12.24)
【手続補正１】
【補正対象書類名】明細書
【補正対象項目名】特許請求の範囲
【補正方法】変更
【補正の内容】
【特許請求の範囲】
【請求項１】
液面検査位置に載置され液体が入れられた被検査容器を挟んで対向配置されたＸ線照射手段及びＸ線検出手段を備え前記被検査容器にＸ線を照射し透過Ｘ線を検出して液面高さを検査する検査ユニットと、
この検査ユニットを一体的に上下方向に移動させる移動手段と、
前記液面検査位置に載置され異なる標準量の液体が入れられた複数種類の基準容器内の液面高さを前記検査ユニットで検査して各基準容器の基準液面高さのデータを記憶手段に記憶し、検査対象として入力された被検査容器の種類に対応する基準液面高さのデータを前記記憶手段から読み出し、この読み出した基準液面高さに前記検査ユニットによる液面検査高さを一致させるように前記移動手段を制御して検査ユニットの高さを調整するように制御する制御部と、
を含んで構成されたことを特徴とするＸ線液量検査装置。
【請求項２】
前記制御部内に、異なる標準量の液体が入れられた複数種類の基準容器に対して前記Ｘ線照射手段によりＸ線を照射させながら前記移動手段により前記検査ユニットの高さを変化させ、このときの前記基準容器内の液面高さの判定結果と前記検査ユニットの液面検査高さの検出結果とに基づいて基準液面高さを検出してそのデータを前記記憶手段に記憶させる基準液面高さ検出手段を設けたことを特徴とする請求項１記載のＸ線液量検査装置。
【手続補正２】
【補正対象書類名】明細書
【補正対象項目名】０００１
【補正方法】変更
【補正の内容】
【０００１】
【発明の属する技術分野】
本発明は、被検査容器内の液量の良否判定をＸ線を利用した液面高さの検出によって行うＸ線液量検査装置に関し、特に、被検査容器の種類別にその液面高さを検査する検査ユニットの高さを調整する技術に関する。


【手続補正３】
【補正対象書類名】明細書
【補正対象項目名】０００８
【補正方法】変更
【補正の内容】
【０００８】
【課題を解決するための手段】
上記目的を達成するために、本発明によるＸ線液量検査装置は、液面検査位置に載置され液体が入れられた被検査容器を挟んで対向配置されたＸ線照射手段及びＸ線検出手段を備え前記被検査容器にＸ線を照射し透過Ｘ線を検出して液面高さを検査する検査ユニットと、この検査ユニットを一体的に上下方向に移動させる移動手段と、前記液面検査位置に載置され異なる標準量の液体が入れられた複数種類の基準容器内の液面高さを前記検査ユニットで検査して各基準容器の基準液面高さのデータを記憶手段に記憶し、検査対象として入力された被検査容器の種類に対応する基準液面高さのデータを前記記憶手段から読み出し、この読み出した基準液面高さに前記検査ユニットによる液面検査高さを一致させるように前記移動手段を制御して検査ユニットの高さを調整するように制御する制御部と、を含んで構成されたものである。


【手続補正４】
【補正対象書類名】明細書
【補正対象項目名】０００９
【補正方法】変更
【補正の内容】
【０００９】
また、前記制御部内に、異なる標準量の液体が入れられた複数種類の基準容器に対して前記Ｘ線照射手段によりＸ線を照射させながら前記移動手段により前記検査ユニットの高さを変化させ、このときの前記基準容器内の液面高さの判定結果と前記検査ユニットの液面検査高さの検出結果とに基づいて基準液面高さを検出してそのデータを前記記憶手段に記憶させる基準液面高さ検出手段を設けても良い。


【手続補正５】
【補正対象書類名】明細書
【補正対象項目名】００１１
【補正方法】変更
【補正の内容】
【００１１】
前記検査部１は、ベルトコンベア２上に載せられて搬送される密閉容器３（被検査容器）を挟んで対向配置されるＸ線発生部４（Ｘ線照射手段）及びＸ線検出部５（Ｘ線検出手段）とを一体的に備え、前記密閉容器３にＸ線を照射し透過Ｘ線を検出して液面高さを検査する検査ユニット６と、該検査ユニット６を一体的に上下方向に移動させる上下動機構部７（移動手段）とからなる。


【手続補正６】
【補正対象書類名】明細書
【補正対象項目名】００１４
【補正方法】変更
【補正の内容】
【００１４】
前記オペアンプ11で増幅されたＸ線検出部５からの信号は、制御部20に入力される。この制御部20は、液面検査位置としてのベルトコンベア２上に載置され異なる標準量の液体が入れられた複数種類の基準容器内の液面高さを前記検査ユニット６で検査して各基準容器の基準液面高さのデータを記憶手段（後述の記憶媒体26）に記憶し、検査対象として入力された密閉容器３の種類に対応する基準液面高さのデータを前記記憶手段から読み出し、この読み出した基準液面高さに前記検査ユニット６による液面検査高さを一致させるように前記上下動機構部７を制御して検査ユニット６の高さを調整するように制御するものである。そして、この制御部20内では、前記Ｘ線検出部５からの信号が液面高さ判定回路21（液面高さ判定手段）に入力され、該液面高さ判定回路21に予め設定された基準値と検出信号とが比較される。そして、前記液面高さ判定回路21は、前記Ｘ線検出部５からの信号が基準値よりも大きくＸ線の減衰が少ないと判断されるときには「液面無し（液量不良）」を示す信号を出力し、前記Ｘ線検出部５からの信号が基準値よりも小さく大きな減衰が発生したと判断されるときには「液面有り（液量良）」を示す信号を出力する。Ｘ線は、液体を透過した場合の方が空気中を透過して進む場合よりも大きく減衰するから、検出Ｘ線の減衰度合いからＸ線が液体を透過したか否かを判断できるものである。


【手続補正７】
【補正対象書類名】明細書
【補正対象項目名】００１８
【補正方法】変更
【補正の内容】
【００１８】
更に、前記検査ユニット６を、密閉容器３の種類毎に異なる適正液面高さに対応する高さ（基準液面高さ）に調整するための回路構成として、前記液面高さ判定回路21からの判定信号を入力する高さ検出回路25（検査位置検出手段），該高さ検出回路25で検出された液面検査高さを記憶する記憶媒体26（記憶手段），高さ検出用制御回路27（検査位置調整手段，基準液面高さ検出手段），高さ検出開始用押ボタンスイッチ28が設けられている。


【手続補正８】
【補正対象書類名】明細書
【補正対象項目名】００３３
【補正方法】変更
【補正の内容】
【００３３】
【発明の効果】
本発明は以上のように構成されたので、被検査容器の種類別に記憶されている基準液面高さに検査ユニットによる液面検査高さを一致させるように該検査ユニットの高さの自動調整が行われることにより、被検査容器の種類が切り替わっても効率良くかつ高精度に検査高さを調整して、変更後の被検査容器内の液量を検査できる。


【手続補正９】
【補正対象書類名】明細書
【補正対象項目名】００３４
【補正方法】変更
【補正の内容】
【００３４】
また、基準容器にＸ線を照射したときの液量の検査結果と、そのときの検査高さの検出結果とに基づいて基準液面高さが自動的に検出されることにより、被検査容器の種類別の基準液面高さを、一定の精度で調整でき、かつ調整作業を短時間で終了させることができる。


【手続補正１０】
【補正対象書類名】明細書
【補正対象項目名】符号の説明
【補正方法】変更
【補正の内容】
【符号の説明】
１…検査部
２…ベルトコンベア
３…密閉容器
４…Ｘ線発生部
５…Ｘ線検出部
６…検査ユニット
７…上下動機構部
８…パルスモータ
９…送りねじ
10…原点センサ
11…オペアンプ
20…制御部
21…液面高さ判定回路
22…ドライバ
23…パルス制御回路
24…パルス発生回路
25…高さ検出回路
26…記憶媒体
27…高さ検出用制御回路
28…高さ検出開始用押ボタンスイッチ
31…ＲＯＭ
32…ＣＰＵ
33…ＲＡＭ
34…Ａ／Ｄ変換器